(57)【特許請求の範囲】
【請求項１】
什器における上下方向に立設された複数の縦杆と、これら縦杆間に架設された横杆とを有する支柱に、オプション部材等の取付物品を取り付けるための物品取付構造であって、
前記縦杆および前記横杆には、前記取付物品を取り付けるための取付面に、それぞれの長手方向に沿って開口幅より内部の幅が広く形成された蟻溝状の係止溝が形成されており、
前記取付物品には、前記支柱の前記係止溝に取り付けられる被取付面に、該被取付面と直交する方向に延び、その後下方に折れ曲がる係止爪が、前記縦杆の取付面の短手方向の幅と略同じ長さ離間して左右に一対配設されると共に、該一対の係止爪間に該被取付面と直交する挿通孔が穿設されており、
前記横杆は、前記取付物品の前記係止爪を該横杆の係止溝に係止させることにより、該横杆への前記取付物品の取り付けを可能にしており、
前記縦杆は、その取付面の短手方向における両側を前記取付物品の前記一対の係止爪に挟持させた状態で、前記挿通孔を介して取付ネジを、該縦杆の係止溝内に配設されたネジ座に螺合させることにより、該縦杆への前記取付物品の取り付けを可能にしていることを特徴とする物品取付構造。
【請求項２】
前記取付物品には、前記左右一対の係止爪が、上下に複数列設けられていることを特徴とする請求項１記載の物品取付構造。
【請求項３】
前記取付物品の被取付面には、該被取付面と直交するネジ孔が穿設されており、
前記横杆は、前記取付物品の前記係止爪を該横杆の係止溝に係止させた後、前記ネジ孔に螺合した固定ネジを該横杆の係止溝の開口部上縁に近接配置させることにより、前記取付物品の前記係止溝からの脱落を防止していることを特徴とする請求項１又は２に記載の物品取付構造。
【請求項４】
前記横杆は、その前後の面にそれぞれ前記係止溝が形成されていることで、前後の面が共に前記取付物品を取り付けるための取付面となっていることを特徴とする請求項１〜３のいずれか一項に記載の物品取付構造。
【請求項５】
前記縦杆は、横断面が略正方形に形成されて、四方の面に全て前記係止溝が形成されていることで、四方の面が全て前記取付物品を取り付けるための取付面となっていることを特徴とする請求項１〜４のいずれか一項に記載の物品取付構造。
【発明の詳細な説明】
【技術分野】
【０００１】
本発明は、什器の構成部材である支柱に、オプション部材等を取り付けるための物品取付構造に関する。
【背景技術】
【０００２】
オフィスや公共施設等の執務空間においては、執務者の作業性を向上させるため、テーブル等の什器が使用されている。こうした什器には、構成部材として支柱が多く用いられており、このような支柱にオプション部材が取り付けられることにより、什器としての使い勝手が高められている。
【０００３】
オプション部材を什器の支柱に取り付ける構造としては、オプション部材を保持するブラケットを、このブラケットに設けられた係止爪を什器の支柱に穿設された係止孔に係止させることにより、支柱に取り付ける構造が一般的である（特許文献１、特許文献２、特許文献３参照）。
【０００４】
これらの取付構造によれば、簡易的な構造でありながら確実にオプション部材を什器の支柱に取り付けることができる。ただし、支柱に穿設された係止孔でオプション部材を保持するブラケットを支持しているため、支柱に対しては、オプション部材の取り付けが想定される箇所全てに係止孔を穿設する必要がある。したがって、支柱については、係止孔に関しての加工工数が多くなることで加工コストが増大してしまう。また、不使用の係止孔が多く露出するため、体裁にも難がある。
【０００５】
このような事情に鑑み、予め支柱に蟻溝状の係止溝を設けておき、この係止溝にブラケットを介してオプション部材を取付可能とした支持構造が提案されている（特許文献４参照）。この支持構造では、係止溝内に配設したネジ座（板ナット）とブラケットの被取付面とによって係止溝の縁部を挟持することにより、ブラケットを介して支柱にオプション部材を取り付け可能にしている。したがって、この支持構造によれば、支柱の係止溝に沿った任意の位置でオプション部材を取り付けることができると共に、オプション部材を取り付けない場合における支柱の体裁も良好に収めることができる。
【先行技術文献】
【特許文献】
【０００６】
【特許文献１】特公平０６−０７１４５０号公報
【特許文献２】特許第３０６０２０４号公報
【特許文献３】特開平０９−１６８４５８号公報
【特許文献４】特開２００５−０２１３４０号公報
【発明の概要】
【発明が解決しようとする課題】
【０００７】
しかしながら、上記特許文献４の支持構造では、オプション部材に設けた係止爪を支柱の係止溝に係止させているため、例えば上下方向に立設された支柱の上下方向に沿う係止溝にオプション部材を支持させたい場合と、左右方向に架設された横杆の左右方向に沿う係止溝にオプション部材を支持させたい場合とでは、オプション部材に設ける係止爪の向きを変えなくてはならない。したがって、上下方向に沿う係止溝と左右方向に沿う係止溝とでは、これら係止溝にオプション部材を取り付けるため、それぞれに専用のブラケットを設ける必要があり、使い勝手の点で改善する余地がある。
【０００８】
本発明は前記事情に鑑みてなされたもので、什器に設けられた上下方向に延在する縦杆と左右方向に延在する横杆のいずれに対しても、オプション部材等の取付物品をそれぞれの係止溝の長さ方向における任意の位置に着脱可能に取り付けることができると共に、共通の取付部材によって取り付けることを可能にした、物品取付構造を提供することを目的とする。
【課題を解決するための手段】
【０００９】
本発明の物品取付構造は、什器における上下方向に立設された複数の縦杆と、これら縦杆間に架設された横杆とを有する支柱に、オプション部材等の取付物品を取り付けるための物品取付構造であって、前記縦杆および前記横杆には、前記取付物品を取り付けるための取付面に、それぞれの長手方向に沿って開口幅より内部の幅が広く形成された蟻溝状の係止溝が形成されており、前記取付物品には、前記支柱の前記係止溝に取り付けられる被取付面に、該被取付面と直交する方向に延び、その後下方に折れ曲がる係止爪が、前記縦杆の取付面の短手方向の幅と略同じ長さ離間して左右に一対配設されると共に、該一対の係止爪間に該被取付面と直交する挿通孔が穿設されており、前記横杆は、前記取付物品の前記係止爪を該横杆の係止溝に係止させることにより、該横杆への前記取付物品の取り付けを可能にしており、前記縦杆は、その取付面の短手方向における両側を前記取付物品の前記一対の係止爪に挟持させた状態で、前記挿通孔を介して取付ネジを、該縦杆の係止溝内に配設されたネジ座に螺合させることにより、該縦杆への前記取付物品の取り付けを可能にしていることを特徴とする。
【００１０】
この物品取付構造によれば、横杆が、取付物品の係止爪を該横杆の係止溝に係止させることにより、横杆への取付物品の取り付けを可能にし、縦杆が、その取付面の短手方向における両側を取付物品の一対の係止爪に挟持させた状態で、挿通孔を介して取付ネジを、該縦杆の係止溝内に配設されたネジ座に螺合させることにより、縦杆への取付物品の取り付けを可能にしているので、什器に設けられた上下方向を向く縦杆と左右方向を向く横杆のいずれに対しても、共通の取付部材によってオプション部材等の取付物品をそれぞれの係止溝の長さ方向における任意の位置に着脱可能に取り付けることができる。
【００１１】
また、前記物品取付構造において、前記取付物品には、前記左右一対の係止爪が、上下に複数列設けられていることを特徴とする。
この構成によれば、左右一対の係止爪が上下に複数列設けられているので、取付物品を縦杆に取り付けた際に、縦杆の取付面に対する両側にそれぞれ複数の係止爪を係止させることにより、取付物品をより安定した状態に取り付けることができる。
【００１２】
また、前記物品取付構造において、前記取付物品の被取付面には、該被取付面と直交するネジ孔が穿設されており、前記横杆は、前記取付物品の前記係止爪を該横杆の係止溝に係止させた後、前記ネジ孔に螺合した固定ネジを該横杆の係止溝の開口部上縁に近接配置させることにより、前記取付物品の前記係止溝からの脱落を防止していることを特徴とする。
この構成によれば、横杆が、取付物品の係止爪を該横杆の係止溝に係止させた後、ネジ孔に螺合した固定ネジを該横杆の係止溝の開口部上縁に近接配置させることにより、取付物品の係止溝からの脱落を防止しているので、横杆に対して取付物品を安定した状態に取り付けることができる。
【００１３】
また、前記物品取付構造において、前記横杆は、その前後の面にそれぞれ前記係止溝が形成されていることで、前後の面が共に前記取付物品を取り付けるための取付面となっていることを特徴とする。
この構成によれば、横杆の前後の面が共に取付物品を取り付けるための取付面となっているので、取付物品を取り付けるための自由度が高くなり、前後両方に向けて取付物品を取り付けることができるため、使い勝手を良くすることができる。
【００１４】
また、前記物品取付構造において、前記縦杆は、横断面が略正方形に形成されて、四方の面に全て前記係止溝が形成されていることで、四方の面が全て前記取付物品を取り付けるための取付面となっていることを特徴とする。
この構成によれば、縦杆の四方の面が全て取付物品を取り付けるための取付面となっているので、取付物品を取り付けるための自由度が高くなり、異なる方向に向けて取付物品を取り付けることができるため、使い勝手を良くすることができる。
【発明の効果】
【００１５】
本発明の物品取付構造によれば、什器に設けられた縦杆と横杆のいずれに対しても、共通の取付部材によってオプション部材等の取付物品をそれぞれの係止溝の長さ方向における任意の位置に着脱可能に取り付けることができる。したがって、使い勝手を向上することができる。
【図面の簡単な説明】
【００１６】
【図１】本発明に係る物品取付構造を用いたテーブル装置の一例の概略構成を示す斜視図である。
【図２】（ａ）は横杆の縦断面図であり、（ｂ）は横杆に対して取付物品を取り付けた状態を示す部分断面図である。
【図３】（ａ）は縦杆の横断面図であり、（ｂ）は縦杆に対して取付物品を取り付けた状態を示す部分断面図である。
【図４】本実施形態に係る物品取付構造の腰部斜視図である。
【図５】（ａ）、（ｂ）は取付物品の斜視図である。
【図６】（ａ）、（ｂ）は取付物品の斜視図である。
【図７】縦杆への横杆の取り付けを説明するための分解斜視図である。
【発明を実施するための形態】
【００１７】
以下、本発明に係る物品取付構造の実施形態を図面に基づいて詳しく説明する。
なお、以下の説明においては、本実施形態の物品取付構造を備える什器における矩形状の天板５の長辺の長さ方向を左右方向、天板５の短辺の長さ方向を前後方向と記す。
【００１８】
図１は、本発明に係る物品取付構造を用いたテーブル装置の一例の概略構成を示す斜視図であり、図１中符号１はテーブル装置である。このテーブル装置１は、例えば病院などにおいて点滴のセッティングや各種医療の準備などに用いられるテーブルであり、テーブル本体２と、このテーブル本体２に設けられた支柱３とを備えている。
【００１９】
テーブル本体２は、本発明に係る什器であり、床面上に左右に離間して配設された一対の収容部４、４と、これら収容部４、４上に支持された天板５と、を有している。収容部４は、矩形板状の底板６と、該底板６の左右両側端から立ち上がる一対の側板７、７とを有している。これら底板６と側板７、７とに囲まれた収容空間内には、複数の収容ケース７ａが前後両方に引き出し可能に収容されている。収容部４、４の底板６には、その四隅にキャスター９が設けられており、これによってテーブル装置１は、床面上を移動可能に形成されている。
【００２０】
天板５は、平面視矩形状に形成されたもので、収容部４、４を構成する側板７の上端面に取り付けられ、固定されている。この天板５には、その上面の長辺方向（左右方向）における両側にそれぞれ取付穴（図示せず）が形成されており、これら取付穴に支柱３が取り付けられ、立設されている。
【００２１】
支柱３は、天板５の上面両側の取付穴に上下方向に立設された一対（複数）の縦杆８、８と、これら縦杆８、８間に架設された横杆９とを有して構成されている。縦杆８は、取付穴に着脱可能に立設されており、必要に応じて天板５にネジ止め等によって固定されている。
【００２２】
本実施形態では、一対の縦杆８、８間に上下二つの横杆９、９が架設されている。すなわち、一対の縦杆８、８の上端部間に一つの横杆９が架設され、この横杆９の下方に他の横杆９が架設されている。横杆９は、長細い板状に形成されたもので、その前後両面が共に後述する取付物品を取り付けるための取付面９ａとなっている。これら取付面９ａには、その長手方向（水平方向）に沿って係止溝１０が上下に２条、平行して形成されている。
【００２３】
これら係止溝１０は、横杆９の縦断面図である図２（ａ）に示すように、開口幅より内部の幅が広く形成された蟻溝状のもので、特に開口部１０ａの下端縁を形成する下端縁部１０ｂが、後述するように取付物品の係止爪に係止する係止部として機能する。また、係止溝１０の開口部１０ａの上端縁を形成する上端縁部１０ｃは、後述するように取付物品に設けられたネジに当接することで上記係止爪が係止溝１０から外れるのを防止する外れ防止部として機能する。なお、本実施形態では、横杆９の上面及び下面にも係合溝１０が形成されており、したがってこれら上面及び下面も、後述する取付物品を取り付けることが可能な取付面となっている。
【００２４】
縦杆８は、その横断面図である図３（ａ）に示すように、横断面が略正方形に形成された柱状のもので、本実施形態では四方の面が全て、後述する取付物品を取り付けるための取付面８ａとなっている。これら取付面８ａには、図１に示すようにその長手方向（上下方向）に沿って係止溝１１が形成されている。係止溝１１は、図３（ａ）に示すように、開口幅より内部の幅が広く形成された蟻溝状のものである。
【００２５】
このような縦杆８と横杆９とを有する支柱３に対して、本実施形態の物品取付構造では、図４に示すようにそれぞれの取付面８ａ、９ａに、オプション部材である取付物品２０が着脱可能に取り付けられる。
取付物品２０としては、図５（ａ）に示すようなポケット２１、図５（ｂ）に示すようなワイヤーバスケット２２、図６（ａ）に示すようなグローブボックスホルダー２３、図６（ｂ）に示すようなバインダーホルダー２４などが用いられる。
【００２６】
これら取付物品２０（ポケット２１、ワイヤーバスケット２２、グローブボックスホルダー２３、バインダーホルダー２４）には、支柱３の係止溝１０（１１）に取り付けられる被取付面２１ａ（２２ａ、２３ａ、２４ａ）に、矩形板状の取付板２５が溶接等によって固定されている。取付板２５は、長辺が左右方向（水平方向）に沿い、短辺が上下方向に沿うように各取付物品２０に固定されており、その上端縁と下端縁に、それぞれ係止爪２６が設けられている。
【００２７】
係止爪２６は、取付板２５の上端縁および下端縁からそれぞれ前方（被取付面と直交する方向）に延び、その後下方に折れ曲がる側面視Ｌ字状、すなわち下向きに配置された側面視Ｌ字状のもので、係止爪２６の下方に垂れ下がる部位の上下方向の長さが、横杆９の係止溝１０の開口部１０ａの幅より充分に短く（狭く）形成されている。このような係止爪２６は、取付板２５の上端縁において横方向に一対設けられ、取付板２５の下端縁においても横方向に一対設けられている。上端縁に設けられた一対の係止爪２６と下端縁に設けられた一対の係止爪２６とは、それぞれ左右方向における同じ位置に配置され、したがって上下方向において対向して配置されている。
【００２８】
取付板２５の上端縁と下端縁との間の距離は、横杆９の上下に配置された２条の係止溝１０、１０間の距離と同じに形成されている。これによって取付板２５の上端縁に配置された係止爪２６と下端縁に配置された係止爪２６とは、共に横杆９の上下に配置された係止溝１０に着脱可能に係止される。すなわち、取付板２５の上端縁に形成された係止爪２６を横杆９の上に配置された係止溝１０に係止させる際、取付板２５の下端縁に形成された係止爪２６も横杆９の下に配置された係止溝１０に係止させることができる。
【００２９】
また、これら係止爪２６のうち、同じ端縁に設けられて横方向に隣り合う一対の係止爪２６、２６は、これらの間の幅ｗ、すなわち離間する長さ（距離）が、縦杆８の取付面８ａの短手方向の幅と略同じ長さ、すなわち該幅より僅かに長い長さに形成されている。これによって取付物品２０は、後述するように縦杆８に取り付ける際、左右一対の係止爪２６、２６を縦杆８の取付面８ａの短手方向における両側面に当接させ、係止させることで取付面８ａの両側を挟持させることにより、縦杆８に安定した状態で取り付け可能になっている。特に、本実施形態では左右一対の係止爪２６、２６を取付板２５の上端縁および下端縁に、すなわち上下に２列（複数列）設けているので、これら二対の係止爪２６、２６で取付面８ａの両側を挟持させることにより、縦杆８に対してより安定した状態で取り付け可能になっている。
【００３０】
取付板２５には、左右一対の係止爪２６、２６間、本実施形態では取付板２５の上端縁に設けられた係止爪２６、２６の中心点と、下端縁に設けられた係止爪２６、２６の中心点とを結ぶ中心線上に、上記被取付面と直交して取付板２５の表裏（前後）を貫通する挿通孔２７と、同じく上記被取付面と直交して取付板２５の表裏（前後）を貫通するネジ孔２８とが形成されている。挿通孔２７は、雌ねじが切られていない貫通孔であり、ネジ孔２８より上方に配置されている。
【００３１】
ネジ孔２８は、雌ねじが切られた貫通孔であり、図５（ａ）、（ｂ）、図６（ａ）、（ｂ）中に二点鎖線で示すように、該ネジ孔２８に雄ネジからなる固定ネジ２９が着脱可能に螺着する。ここで、ネジ孔２８は、取付物品２０の取付板２５の、下端縁より少し上に配設されている。具体的には、図２（ａ）に示した係止溝１０の開口部１０ａの幅に相当する長さより少し短い長さ分、取付板２５の下端縁より上に配設されている。これにより、取付物品２０を横杆９に取り付けるべく、図２（ｂ）に示すように下端縁側の係止爪２６を横杆９の下側の係止溝１０に係止させると共に、上端縁側の係止爪２６を横杆９の上側の係止溝１０に係止させた際、ネジ孔２８が係止溝１０の開口部１０ａに連通すると共に、開口部１０ａの上端縁部１０ｃの近傍に位置するようになっている。
【００３２】
挿通孔２７にも、雄ネジが挿通されるようになっている。ただし、この挿通孔２７には雌ねじが切られていないので、これに挿通される雄ネジは、図３（ｂ）に示すように予め係止溝１１内に配置されたネジ座を有する板ナット３０に対して、螺着されるようになっている。
【００３３】
このような構成からなる取付板２５を有した取付物品２０を取り付ける支柱３は、図１、図４に示すように一対の縦杆８の内側面（取付面９ａ）の係止溝１１に、横杆９を取り付けたことによって形成されている。図７は、縦杆８への横杆９の取り付けを説明するための分解斜視図である。
【００３４】
図７に示すように、縦杆８の左右方向の内側面には、係合溝１１の内部の幅広部１２に、横杆９を連結するための、係合溝１１の開口部１１ａよりも幅広である縦長四角形の板ナット１３が上方より挿入され、固定されている。すなわち、板ナット１３の上下方向の中央に設けられている位置固定用ネジ孔１３ａに、位置固定用ネジ１４が螺合される。位置固定用ネジ１４の頭部には六角凹孔１４ａが形成されており、六角レンチを用いて位置固定用ネジ１４を締め込むことにより、位置固定用ネジ１４の先端が係合溝１１の溝底に圧接し、板ナット１３の両側端縁が係合溝１１の開口部１１ａの両端縁部の内壁面にそれぞれ圧接する。これにより、板ナット１３が縦杆８の係合溝１１内に固定される。なお、本実施形態では一対の縦杆８、８間に二つの横杆９、９が架設されるため、板ナット１３も各縦杆８に二つ挿入され、固定されている。
【００３５】
一方、横杆９は、ほぼ縦長四角形状の断面を有し、その上下面に各１条、前後面に各２条の平行な係合溝１０、１０が、それぞれ長手方向に形成されている。横杆９の左右両端部には、それぞれ連結板１５が固着されている。連結板１５は、横杆９の端部を覆う縦長の長方形状のもので、下端中央に切欠１５ａが形成され、上端近傍中央に通孔１５ｂが形成され、さらにこれら切欠１５ａと通孔１５ｂとの間の上下に一対の通孔１５ｃ、１５ｄが形成されている。
【００３６】
そして、一対のネジ１６ａ、１６ｂが一対の通孔１５ｃ、１５ｄに挿通され、横杆９の端部において、上下面の係合溝１０、１０間の上下に設けられた一対の係止孔１７ａ、１７ｂに螺着させられることにより、連結板１５が横杆９の端部に固着されている。
【００３７】
このような構成のもとに、横杆９を以下のようにして縦杆８に取り付けることができる。
まず、縦杆８の内側面の係合溝１１内に固着した板ナット１３の下端近傍に形成されたネジ孔１３ｂに、拡径頭部１８ａを有する取付用ネジ１８を途中までねじ込み、横杆９の端部に固着した連結板１５における下端の切欠１５ａに、取付用ネジ１８の拡径頭部１８ａを係止させる。次いで、取付用ネジ１９を連結板１５における上端近傍の通孔１５ｂに挿通し、板ナット１３の上端近傍に設けられたネジ孔１３ｃに螺合して締め付ける。
【００３８】
さらに、先に連結板１５の切欠１５ａに係止させた取付用ネジ１８を締め付けて、連結板１５と板ナット１３の両者によって、縦杆８における係合溝１１の開口部１１ａの両側端縁を挾持する。これにより、横杆９を左右一対の縦杆８、８間に取り付け、架設することができる。すなわち、一対の縦杆８、８に対して上下に二つの横杆９、９を取り付け、架設することができる。
【００３９】
横杆９の上下位置の変更については、板ナット１３の上下位置を所望の位置に変更することにより、容易に行うことができる。
なお、縦杆８の上端にはキャップ３１が着脱可能に被着されており、これによって上端開口が閉塞されていることにより、良好な外観を呈している。キャップ３１の下面には、縦杆８の係合溝１１に嵌挿する取付片３２が形成されており、これによってキャップ３１は縦杆８の上端に容易に取り付けられるようになっている。
【００４０】
次に、このような構成の支柱３に対する、取り付け物品２０の取り付け方法について説明する。
横杆９に対する取付物品２０の取り付けについては、図２（ｂ）に示すように、まず、取付物品２０の取付板２５の４つの係止爪２６を、横杆９の係止溝１０にそれぞれ係止させる。すなわち、取付板２５の上端縁の係止爪２６を横杆９の上側の係止溝１０に位置合わせすると共に、下端縁の係止爪２６を横杆９の下側の係止溝１０に位置合わせし、その状態で各係止爪２６を係止溝１０の開口部１０ａ内に挿入し、その後取付物品２０を降ろして各係止爪２６を係止溝１０の下端縁部１０ｂに係止させる。
【００４１】
次いで、取付板２５のネジ孔２８に固定ネジ２９を螺合させ、さらにこの固定ネジ２９を前進させて係止溝１０の開口部１０ａ内に進めることにより、この固定ネジ２９の先端側を開口部１０ａの上端縁部１０ｃに近接配置させる。これにより、開口部１０ａの下端縁部１０ｂに係止した係止爪２６を下端縁部１０ｂから外すべく、取付物品２０を持ち上げようとしても、あるいは不測の外力が作用して取付物品２０を持ち上げようとしても、固定ネジ２９が開口部１０ａの上端縁部１０ｃに当接してそれ以上取付物品２０が上昇するのが妨げられるため、係止爪２６を係止溝１０から外すことができない。したがって、特に不測の外力が作用することで、取付物品２０が係止溝１０から脱落するのが防止される。
【００４２】
なお、図２（ｂ）中に二点鎖線で示すように、固定ネジ２９に対して取付板２５の外面側に溶接されたナット３３を螺着することにより、固定ネジ２９を取付板２５に固定するようにしてもよい。このようにナット３３を用いることにより、ネジ孔２８を雌ネジが切られていない単なる貫通孔とすることができる。その場合に、この貫通孔を挿通孔２７に兼用させることもできる。すなわち、ネジ孔２８を形成した箇所に貫通孔を形成することで、挿通孔２７を無くすことができる。これにより、挿通孔２７についての加工費を削減することができる。
【００４３】
また、縦杆８に対する取付物品２０の取り付けについては、図３（ｂ）に示すように、まず、取り付ける係止溝１１内にネジ座を有する板ナット３０を挿入し、適宜な治具を用いてこれを取付物品２０の取付位置に仮止めしておく。なお、このような板ナット３０の挿入および仮止めについては、図７に示した板ナット１３の場合と同様にして行うことができる。
【００４４】
このようにして板ナット３０を仮止めしたら、この板ナット３０と対応する位置に取付物品２０の取付板２５を取り付けるべく、まず、横方向に隣り合う二対の係止爪２６、２６によって縦杆８の取付面８ａの短手方向における両側面を挟持させる。すなわち、左右の係止爪２６、２６をそれぞれ縦杆８の取付面８ａの両側面に当接させ、係止させることにより、取付面８ａの両側を挟持させる。
【００４５】
続いて、予め用意した取付ネジ３４を挿通孔２７に挿通し、さらに係止溝１１内の板ナット３０に螺合させることにより、板ナット３０と取付板２５の被取付面とによって係止溝１１の開口部１１ａの両側端縁を挟持する。これにより、取付物品２０の取付板２５を縦杆８の係止溝１１に取り付けることができる。
【００４６】
以上説明したように本実施形態の物品取付構造によれば、横杆９が、取付物品２０の係止爪２６を係止溝１０に係止させることにより、横杆９への取付物品２０の取り付けを可能にし、縦杆８が、その取付面８ａの短手方向における両側を取付物品２０の一対の係止爪２６、２６に挟持させた状態で、挿通孔２７を介して取付ネジ３４を、係止溝１１内に配設された板ナット３０のネジ座に螺合させることにより、縦杆８への取付物品２０の取り付けを可能にしているので、テーブル本体２に設けられた上下方向を向く縦杆８、８と左右方向を向く横杆９、９のいずれに対しても、共通の取付板２５（取付部材）によってオプション部材等の取付物品２０をそれぞれの係止溝１０（１１）の長さ方向における任意の位置に着脱可能に取り付けることができる。したがって、使い勝手を従来比べて向上することができる。
【００４７】
また、取付物品２０に、左右一対の係止爪２６、２６を上下に２列（複数列）設けているので、取付物品２０を縦杆８に取り付けた際に、縦杆８の取付面８ａに対する両側にそれぞれ複数の係止爪２６を係止させることにより、縦杆８に対して取付物品２０をより安定した状態に取り付けることができる。
【００４８】
また、横杆９が、取付物品２０の係止爪２６を係止溝１０に係止させた後、ネジ孔２８に螺合した固定ネジ２９を係止溝１０の開口部１０ａの上端縁部１０ｃ（上縁）に近接配置させることにより、取付物品２０の係止溝１０からの脱落を防止しているので、横杆９に対して取付物品２０を、不測の力が作用しても脱落しないように安定した状態に取り付けることができる。
【００４９】
また、横杆９の前後の面を共に取付物品２０を取り付けるための取付面９ａとしているので、取付物品２０を取り付けるための自由度を高くして前後両方に向けて取付物品２０を取り付けることができ、したがって使い勝手を良くすることができる。
さらに、縦杆８の四方の面を全て取付物品２０を取り付けるための取付面８ａとしているので、取付物品２０を取り付けるための自由度を高くして異なる方向に向けて取付物品２０を取り付けることができ、したがって使い勝手をより良くすることができる。
【００５０】
なお、本発明は前記実施形態に限定されることなく、本発明の主旨を逸脱しない範囲で種々の変更が可能である。
例えば、前記実施形態では取付板２５の上端縁と下端縁の両方にそれぞれ一対の係止爪を形成したが、例えば下端縁のみに一対の係止爪を形成してもよい。その場合には、横杆９の上下に形成した２条の係止溝１０、１０に対して、いずれにも取付物品２０を取り付けることが可能になる。
【００５１】
また、ネジ孔２８を比較的大きい径にしておき、取付物品２０を横杆９に取り付ける場合には前記実施形態と同様にネジ孔２８に固定ネジ２９を螺着させ、取付物品２０を縦杆８に取り付ける場合には、ネジ孔２８に対してその径より充分に小径の取付ネジ３４を挿通することにより、これを板ナット３０に螺着するようにしてもよい。このように構成すれば、挿通孔２７の形成を省略することができ、その加工費を削減することができる。
【００５２】
また、前記実施形態では本発明に係る物品取付構造を、病院などにおいて用いられるテーブル装置に適用した場合について説明したが、本発明に係る物品取付構造はこのようなテーブル装置にのみ用いられることなく、一般のオフィスや図書館などに設置されるテーブル装置、さらには飲食店などにおけるテーブルやカウンターなど、様々な場所で用いられる什器に適用可能である。
【符号の説明】
【００５３】
１…テーブル装置、２…テーブル本体（什器）、３…支柱、８…縦杆、８ａ…取付面、９…横杆、９ａ…取付面、１０…係止溝、１０ａ…係止溝、１１…係止溝、１１ａ…開口部、２０…取付物品、２５…取付板（取付部材）、２６…係止爪、２７…挿通孔、２８…ネジ孔、２９…固定ネジ、３０…板ナット（ネジ座）、３４…取付ネジ
【図１】
0006422184.tif 000002
【図２】
0006422184.tif 000003
【図３】
0006422184.tif 000004
【図４】
0006422184.tif 000005
【図５】
0006422184.tif 000006
【図６】
0006422184.tif 000007
【図７】
0006422184.tif 000008